(57)【特許請求の範囲】
【請求項１】
形状データ記憶部が、外部入力に基づいて作成した建築物の形状データを記憶するステップと、
ＣＧ画像データ生成部が、記憶された形状データに対して設定した視点を静止又は移動させることにより前記建築物に関するＣＧ画像データを生成するステップと、
表示部が、生成されたＣＧ画像データに基づいて、静止画又は動画であるＣＧ画像を表示するステップと、
を有する表示方法であって、
前記形状データ記憶部に備えられた当初構造記憶手段が、前記建築物の建築当初の構造に関する形状データを記憶するステップと、
前記形状データ記憶部に備えられた改築後構造記憶手段が、前記建築物の改築後の構造に関する形状データを記憶するステップと、
前記ＣＧ画像データ生成部が、記憶された建築当初の構造に関する形状データに対して設定した視点を静止又は移動させることにより建築当初の建築物に関するＣＧ画像データを生成するステップと、
前記表示部が、生成されたＣＧ画像データに基づいて、建築当初の建築物をＣＧ画像により表示するステップと、
前記ＣＧ画像データ生成部が、記憶された改築後の構造に関する形状データに対して設定した視点を静止又は移動させることにより改築後の建築物に関するＣＧ画像データを生成するステップと、
前記表示部が、生成されたＣＧ画像データに基づいて、改築後の建築物をＣＧ画像により表示するステップと、
前記表示部が、記憶された改築後の構造に関する形状データに基づいて、改築後の建築物を示す平面図を表示するステップと、
設定部が、表示された平面図中のいずれかの部屋を介護室として設定するステップと、
決定部が、設定された介護室と表示された平面図中の便所及び浴室とを結ぶ電動トランスファ用の天井レールの経路を決定する際に、
（１）壁によって遮られずに通過可能な経路であること、
（２）表示された平面図の縦方向又は横方向に延びる経路であること、
を基本条件とし、
（３）できる限り廊下及びホール以外の部屋を通過しないこと、
（４）できる限り短い経路であること、
を補助条件とし、
前記決定部が、前記基本条件（１）と前記基本条件（２）のいずれも満たす全ての経路を求め、求められた経路の中に前記補助条件（３）を満たす経路がある場合に、求められた経路の中から前記補助条件（３）と前記補助条件（４）のいずれも満たす経路を選択する一方、求められた経路の中に前記補助表示（３）を満たす経路がない場合に、求められた経路の中から前記補助条件（４）を満たす経路を選択し、選択された経路を前記天井レールの経路として決定するステップと、
前記表示部が、決定された経路を表示するステップと、
を有することを特徴とする、ＣＧ画像による建築物の改築プランの表示方法。
【請求項２】
請求項１の表示方法をコンピュータに実行させるためのプログラムを記録したコンピュータ読み取り可能な記録媒体。
【請求項３】
外部入力に基づいて作成した建築物の形状データを記憶する形状データ記憶部と、
記憶された形状データに対して設定した視点を静止又は移動させることにより前記建築物に関するＣＧ画像データを生成するＣＧ画像データ生成部と、
生成されたＣＧ画像データに基づいて、静止画又は動画であるＣＧ画像を表示する表示部と、
を備えた表示装置であって、
前記形状データ記憶部に備えられた当初構造記憶手段が、前記建築物の建築当初の構造に関する形状データを記憶し、
前記形状データ記憶部に備えられた改築後構造記憶手段が、前記建築物の改築後の構造に関する形状データを記憶し、
前記ＣＧ画像データ生成部が、記憶された建築当初の構造に関する形状データに対して設定した視点を静止又は移動させることにより建築当初の建築物に関するＣＧ画像データを生成し、
前記表示部が、生成されたＣＧ画像データに基づいて、建築当初の建築物をＣＧ画像により表示し、
前記ＣＧ画像データ生成部が、記憶された改築後の構造に関する形状データに対して設定した視点を静止又は移動させることにより改築後の建築物に関するＣＧ画像データを生成し、
前記表示部が、生成されたＣＧ画像データに基づいて、改築後の建築物をＣＧ画像により表示し、かつ記憶された改築後の構造に関する形状データに基づいて、改築後の建築物を示す平面図を表示すると共に、
表示された平面図中のいずれかの部屋を介護室として設定する設定部と、
設定された介護室と表示された平面図中の便所及び浴室とを結ぶ電動トランスファ用の天井レールの経路を決定する際に、
（１）壁によって遮られずに通過可能な経路であること、
（２）表示された平面図の縦方向又は横方向に延びる経路であること、
を基本条件とし、
（３）できる限り廊下及びホール以外の部屋を通過しないこと、
（４）できる限り短い経路であること、
を補助条件とし、
前記基本条件（１）と前記基本条件（２）のいずれも満たす全ての経路を求め、求められた経路の中に前記補助条件（３）を満たす経路がある場合に、求められた経路の中から前記補助条件（３）と前記補助条件（４）のいずれも満たす経路を選択する一方、求められた経路の中に前記補助表示（３）を満たす経路がない場合に、求められた経路の中から前記補助条件（４）を満たす経路を選択し、選択された経路を前記天井レールの経路として決定する決定部と、
を備え、更に、
前記表示部が、決定された経路を表示することを特徴とする、ＣＧ画像による建築物の改築プランの表示装置。
【発明の詳細な説明】
【０００１】
【発明の属する技術分野】
本発明は、コンピュータにより住宅等の建築物の形状データを作成し、この形状データに基づいて前記建築物の内外を表すＣＧ画像（コンピュータグラフィックスによる画像）を生成して表示する際に、前記建築物の建築当初の構造及び改築後の構造をＣＧ画像で表示できるようにした、ＣＧ画像による建築物の改築プランの表示方法及び表示装置、並びに前記表示方法をコンピュータに実行させるためのプログラムを記録したコンピュータ読み取り可能な記録媒体に関するものである。
【０００２】
【従来の技術】
従来、住宅等の建築物の建築に際して、一通りの設計が終了した建築予定の住宅の３次元形状データを作成し、建築会社の営業所等におけるプレゼンテーションルーム（表示室）に設置したワークステーションを用いて、上記３次元形状データに基づき上記住宅をスクリーン等の適宜の表示装置上にＣＧ画像により表示させるようにした表示方法が提案されている（特開平９−１０６４０８号公報参照）。その場合、建築会社の操作者等が表示された建築物に対する視点を適宜移動させることにより、上記表示装置上で上記建築物を動画として表示することができる。
【０００３】
係る表示方法によれば、顧客は、建築予定の住宅の内外を実際に歩き回っているのと同様の体験（いわゆる、ウォークスルー）をＣＧ画像上で行うことができるので、建築予定の住宅の各部の設計が適切であるかの検討を極めて的確に行うことができ、ウォークスルーの結果に基づいて、適宜住宅の設計の変更等を行うことができる。従って、顧客に設計図面を提示するのみで住宅の建築を行ったような場合と比べて、ＣＧ画像によるウォークスルーに基づいた修正等を行った場合は、住宅の建築後における設計不良や使用勝手の悪さ等の顧客からのクレームが大幅に少なくなり、建築会社及び顧客の双方にとって有益である。
【０００４】
【発明が解決しようとする課題】
ところで、住宅の建築に際して、一般には、建築当初、或いは高々数年程度先の需要を考慮して間取り等を決定する場合が多いが、実際には、住宅は、通常、数１０年程度以上の寿命を有するものであるから、家族構成員の増減や年齢層の変化、身体的傷害の発生等に応じて改築が必要となることも多い。
【０００５】
その場合も、改築に際して、顧客と改築業者とが単に図面上等で打ち合わせを行ったのみで工事を進めると、改築工事の終了後に改築後の部屋等が顧客のイメージと相違していたり、改築前に考えていたより使用勝手が悪いといった問題が生じるおそれがある。
【０００６】
さらに、改築に際して、床、壁、天井部の大幅な変更、補強等が必要となると、改築工事が大掛かりとなり、コストも高く付く問題がある。そのため、建築当初から、改築のプランを立てて、将来、必要に応じて最小限の工事で改築が行えるように考慮した上で当初の間取りを決定しておくことが好適である。そこで、本発明は、改築に際して、改築後の住宅等をＣＧ画像で表示したり、或いは、住宅等の新築時に、建築当初の構造ばかりでなく、将来、必要により改築する場合の好ましい改築プランも表示できるようにするものである。
【０００７】
【課題を解決するための手段】
前記の課題を解決するため、本発明は、改築プランをＣＧ画像により容易に表示できるようにした、ＣＧ画像による建築物の改築プランの表示方法及び表示装置、並びに記録媒体を提供することを目的とする。
そのため、請求項１の建築物の改築プランの表示方法は、形状データ記憶部が、外部入力に基づいて作成した建築物の形状データを記憶するステップと、ＣＧ画像データ生成部が、記憶された形状データに対して設定した視点を静止又は移動させることにより前記建築物に関するＣＧ画像データを生成するステップと、表示部が、生成されたＣＧ画像データに基づいて、静止画又は動画であるＣＧ画像を表示するステップと、を有する表示方法であって、前記形状データ記憶部に備えられた当初構造記憶手段が、前記建築物の建築当初の構造に関する形状データを記憶するステップと、前記形状データ記憶部に備えられた改築後構造記憶手段が、前記建築物の改築後の構造に関する形状データを記憶するステップと、前記ＣＧ画像データ生成部が、記憶された建築当初の構造に関する形状データに対して設定した視点を静止又は移動させることにより建築当初の建築物に関するＣＧ画像データを生成するステップと、前記表示部が、生成されたＣＧ画像データに基づいて、建築当初の建築物をＣＧ画像により表示するステップと、前記ＣＧ画像データ生成部が、記憶された改築後の構造に関する形状データに対して設定した視点を静止又は移動させることにより改築後の建築物に関するＣＧ画像データを生成するステップと、前記表示部が、生成されたＣＧ画像データに基づいて、改築後の建築物をＣＧ画像により表示するステップと、前記表示部が、記憶された改築後の構造に関する形状データに基づいて、改築後の建築物を示す平面図を表示するステップと、設定部が、表示された平面図中のいずれかの部屋を介護室として設定するステップと、決定部が、設定された介護室と表示された平面図中の便所及び浴室とを結ぶ電動トランスファ用の天井レールの経路を決定する際に、（１）壁によって遮られずに通過可能な経路であること、（２）表示された平面図の縦方向又は横方向に延びる経路であること、を基本条件とし、（３）できる限り廊下及びホール以外の部屋を通過しないこと、（４）できる限り短い経路であること、を補助条件とし、前記決定部が、前記基本条件（１）と前記基本条件（２）のいずれも満たす全ての経路を求め、求められた経路の中に前記補助条件（３）を満たす経路がある場合に、求められた経路の中から前記補助条件（３）と前記補助条件（４）のいずれも満たす経路を選択する一方、求められた経路の中に前記補助表示（３）を満たす経路がない場合に、求められた経路の中から前記補助条件（４）を満たす経路を選択し、選択された経路を前記天井レールの経路として決定するステップと、前記表示部が、決定された経路を表示するステップと、を有することを特徴とするものである。
【０００８】
請求項２の記録媒体は、請求項１の表示方法をコンピュータに実行させるためのプログラムを記録したコンピュータ読み取り可能な記録媒体である。
【０００９】
請求項３のＣＧ画像による建築物の改築プランの表示装置は、外部入力に基づいて作成した建築物の形状データを記憶する形状データ記憶部と、記憶された形状データに対して設定した視点を静止又は移動させることにより前記建築物に関するＣＧ画像データを生成するＣＧ画像データ生成部と、生成されたＣＧ画像データに基づいて、静止画又は動画であるＣＧ画像を表示する表示部と、を備えた表示装置であって、前記形状データ記憶部に備えられた当初構造記憶手段が、前記建築物の建築当初の構造に関する形状データを記憶し、前記形状データ記憶部に備えられた改築後構造記憶手段が、前記建築物の改築後の構造に関する形状データを記憶し、前記ＣＧ画像データ生成部が、記憶された建築当初の構造に関する形状データに対して設定した視点を静止又は移動させることにより建築当初の建築物に関するＣＧ画像データを生成し、前記表示部が、生成されたＣＧ画像データに基づいて、建築当初の建築物をＣＧ画像により表示し、前記ＣＧ画像データ生成部が、記憶された改築後の構造に関する形状データに対して設定した視点を静止又は移動させることにより改築後の建築物に関するＣＧ画像データを生成し、前記表示部が、生成されたＣＧ画像データに基づいて、改築後の建築物をＣＧ画像により表示し、かつ記憶された改築後の構造に関する形状データに基づいて、改築後の建築物を示す平面図を表示すると共に、表示された平面図中のいずれかの部屋を介護室として設定する設定部と、設定された介護室と表示された平面図中の便所及び浴室とを結ぶ電動トランスファ用の天井レールの経路を決定する際に、（１）壁によって遮られずに通過可能な経路であること、（２）表示された平面図の縦方向又は横方向に延びる経路であること、を基本条件とし、（３）できる限り廊下及びホール以外の部屋を通過しないこと、（４）できる限り短い経路であること、を補助条件とし、前記基本条件（１）と前記基本条件（２）のいずれも満たす全ての経路を求め、求められた経路の中に前記補助条件（３）を満たす経路がある場合に、求められた経路の中から前記補助条件（３）と前記補助条件（４）のいずれも満たす経路を選択する一方、求められた経路の中に前記補助表示（３）を満たす経路がない場合に、求められた経路の中から前記補助条件（４）を満たす経路を選択し、選択された経路を前記天井レールの経路として決定する決定部と、を備え、更に、前記表示部が、決定された経路を表示することを特徴とするものである。
【００１０】
【発明の実施の形態】
以下、本発明の実施の形態を図面に基づいて説明する。図１及び図２に示すように、表示室１には、その２つのコーナ部近傍に各々回動式のドア２が設けられ、後部（図２の下部）の壁３に、昇降可能なブラインド４ａを有する上下方向に長い窓４が形成される一方、前部（図２の上部）の壁３には、矩形状のスクリーン５が嵌め込まれている。このスクリーン５は、例えば、サイズが１００インチ以上程度の大画面（画素数は、例えば、１２８０×１０２４ドット程度又はそれ以上）のものである。
【００１１】
表示室１の後部の壁３の天井付近には、例えば、３本の投影管６を有するプロジェクタ７（投影機）が設置され、プロジェクタ７からスクリーン５に向けて投影像が投影されるようになっている。なお、スクリーン５の裏側に別途投影室を設け、スクリーン５の裏面側から投影するようにしてもよい。
【００１２】
表示室１内には、スクリーン５上に投影されるＣＧ画像を鑑賞する顧客Ｋ等が使用するための複数の椅子８及びテーブル９等が配置されるとともに、このテーブル９上の片隅には、顧客Ｋが建築しようとする住宅に関するＣＧ画像を作成してスクリーン５に表示させるためのワークステーション１１（コンピュータ）の表示装置１２（ＣＲＴ：Cathode Ray Tube等）と、入力装置としてのキーボード１３及びマウス１４が設置されている。
【００１３】
また、表示室１のコーナ部付近に配置した補助テーブル１５の下方には、上記ワークステーション１１の本体部分を成す演算処理装置１６が設置されるとともに、補助テーブル１５上には、スクリーン５上に表示される画像を適宜印刷するためのカラープリンタ１７やワークステーション１１内に画像を取り込むためのスキャナ１８が載置されている。
【００１４】
上記演算処理装置１６は、図３に示すように、キーボード１３及びマウス１４等による外部入力に基づいて作成した建築物の形状データを記憶する形状データ記憶部１６ａと、この形状データ記憶部１６ａに記憶された形状データに対して設定した視点Ｖ（後述）を静止又は移動させることにより上記建築物に関するＣＧ画像を表示させるためのＣＧ画像データを生成するＣＧ画像データ生成部１６ｂと、このＣＧ画像データ生成部１６ｂで生成されたＣＧ画像データに基づいて表示部に上記建築物に関するＣＧ画像を表示装置１２及びスクリーン５に表示させる表示制御部１６ｃとを備えている。
【００１５】
また、形状データ記憶部１６ａは建築物の建築当初の構造に関する形状データを記憶する当初構造記憶手段１６ｄと、改築後の構造に関する形状データを記憶する改築後構造記憶手段１６ｅとを備えている。
【００１６】
そして、この演算処理装置１６には、住宅（建築物）の各階の間取りや備品類の配置等を表す平面図等を作成することにより当該住宅を表す３次元形状データを作成するための住宅データ作成用プログラムＰ１、上記３次元形状データに基づき上記住宅の各部を動画又は静止画としてＣＧ画像によりスクリーン５上等に描写するためのＣＧ画像生成用プログラムＰ２及び標準的な改築プラン等に従って間取りの変更等を容易に行うための改築支援プログラムＰ３等がＣＤ−ＲＯＭ等の適宜の記録媒体からインストールされている。なお、形状データの作成及びＣＧ画像の生成等の処理は、上記ワークステーション１１以外に、いわゆる、パソコンを使用して行うこともできる。
【００１７】
以下、表示室１内でのＣＧ画像の表示手順につき説明する。図４に示すように、建築会社の操作者Ｓは、顧客Ｋが表示室１を訪問する前に、顧客Ｋの建築予定の住宅Ｈの各階の平面図をワークステーション１１の表示装置１２に表示される平面図作成用画面の画像表示領域Ａ１内に、右側の道具類表示領域Ａ２に表示される道具類Ｔ（ボタン、選択欄等）を用いて作成する。
【００１８】
この平面図は、建築当初の構造を表すもの以外に、必要に応じて改築する場合の改築プランを示す平面図を併せて作成しておくことができる。その場合、建築当初の構造の平面図は上記形状データ記憶部１６ａにおける当初構造記憶手段１６ｄに記憶され、改築プランを示す平面図は改築後構造記憶手段１６ｅに記憶される。建築当初の構造と改築後の構造とは、構造選択欄Ｃ１で選択できる。
【００１９】
まず、建築当初の平面図を作成する場合、構造選択欄Ｃ１で「当初構造」を選択した後、当該平面図を各階毎に作成してゆく。この平面図の作成手順は、詳細には説明しないが、道具類表示領域Ａ２に表示される道具類Ｔを用いて「部屋名」と「広さ」を指定するとともに、画像表示領域Ａ１内で当該「部屋」を配置する位置をマウス１４等で指定するのみで間取りの設計を行えるようになっている。また、各部屋に配置する「備品類」の「種類」と配置する位置を指定するのみで備品類の配置を行える。
【００２０】
上記した設計に使用する各部屋や備品類は、予め高さ寸法を含む３次元形状データとして作成されているため、図４のような平面図を住宅の各階毎に作成するのみで、住宅及び備品類の３次元形状データが作成され、この３次元形状データには、必要により、色付け等の加工が行われる。
【００２１】
次に、上記住宅の建築後、例えば、家族構成員の変化等に応じて改築する場合の構造に関する形状データを予め作成して、建築当初の構造とともに提示する場合、上記構造選択欄Ｃ１で、例えば、「改築候補１」を選択し、改築後の構造に関する平面図を作成する。この改築後の平面図としては、上記当初構造の平面図がそのまま表示され、この平面図に必要な修正を加える形式で作成できる。一例として、図４における「和室」を洋室風の「子供室」に変更した改築プランを図５に示す。このような改築プランは、顧客Ｋ自身の希望に基づいて、又は建築会社の提案の形式で、複数種類準備しておくことができる。
【００２２】
なお、ワークステーション１１上で住宅の３次元形状データを作成する代わりに、予め別途ＣＡＤシステム等で作成した住宅の図面データ（３次元形状データ）をワークステーション１１に取り込んで利用するようにしてもよい。
【００２３】
以下、顧客Ｋが表示室１を訪問した際に行うウォークスルーの手順を説明する。まず、上記平面図等で表された形状データに基づいて住宅の内外を静止画又は動画として表示する原理について簡単に説明する。
【００２４】
住宅を表す３次元形状データを単純化して、例えば、図６にＤで示すような形状に対応したものであるとし、視点をＶ、注視点をＵとすると、視線方向Ｅは視点Ｖから注視点Ｕに向かう方向となる。
【００２５】
視点Ｖから視線方向Ｅを見た場合の画像をＣＧ画像として生成する際には、視線方向Ｅを左右方向及び上下方向の中心線として所定の視野角度に対応した四角錐Ｆが設定され、上記３次元形状データＤ中の四角錐Ｆに含まれる領域を投影面Ｇ（四角錐Ｆの断面）に投影した２次元画像が切り出されて、この投影面Ｇ内の画像（図６中Ｈ部参照）が図１中のスクリーン５等にウォークスルー用のＣＧ画像Ｑとして表示される。
【００２６】
このような視点Ｖ及び視線方向Ｅに基づいてＣＧ画像Ｑを生成するための演算は、前記ＣＧ画像生成用プログラムＰ２により実行される。なお、例えば、視点Ｖを前進させると、上記３次元形状データＤ中の四角錐Ｆに含まれる領域が縮小するため、ＣＧ画像Ｑでは上記住宅により接近した状態が描写される。このように、視点Ｖの前進又は後退或いは視線方向Ｅの転換に応じて、住宅の内外がＣＧ画像により動画又は静止画として表示される。
【００２７】
以下、具体的なウォークスルーの手順を説明する。図４の道具類表示領域Ａ２でウォークスルーボタンＢ１をクリックすると、図７のウォークスルー用画面が表示される。このウォークスルー用画面のサブウインドーＡ３内に作成済の平面図が縮小表示され、ここで、操作者ＳがＣＧ画像生成の基準となる視点Ｖ及び注視点Ｕを設定することにより、視点Ｖから注視点Ｕを見た場合の仮想的な画像がＣＧ画像により、ウォークスルーの初期画面として画像表示領域Ａ１に表示される。ここでは、視点Ｖ及び注視点Ｕを居間内に設定した場合のウォークスルー画面が例示されている。
【００２８】
そして、ウォークスルーに際しては、操作者Ｓが道具類表示領域Ａ２における「前進」、「後退」、「左回転」、「右回転」、「上回転」、「下回転」等の各ボタンＢ２〜Ｂ７を適宜クリックすること等により、上記した視点Ｖの移動や視線方向Ｅの転換を行わせると、これに応じて、画像表示領域Ａ１及びスクリーン５上に視点Ｖや視線方向Ｅの変化に応じて、住宅の室内等をＣＧ画像Ｑにより動画又は静止画として表示される。
【００２９】
なお、通常、スクリーン５には、画像表示領域Ａ１及びサブウインドーＡ３のみが表示され、道具類表示領域Ａ２は表示されない。すなわち、図７以下の各図に示しているのは、操作者Ｓの見ている表示装置１２の表示内容であるが、画像表示領域Ａ１及び各サブウインドーＡ３の表示内容は、各時点において表示装置１２とスクリーン５とで共通である。
【００３０】
操作者Ｓが表示装置１２上で「前進」または「後退」ボタンＢ２、Ｂ３をクリックすると視点Ｖが前進または後退することにより、図示しないが、画像表示領域Ａ１及びスクリーン１２内でＣＧ画像Ｑが拡大または縮小されることになる。図８には、図７の状態から視点Ｖを前進させた状態が表示されている。また、「左回転」又は「右回転」ボタンＢ４、Ｂ５等をクリックすると、視線方向Ｅが左方向又は右方向等へ変化し、それに応じて、画像表示領域Ａ１及びスクリーン５に表示されるＣＧ画像が変化する。
【００３１】
以上では、建築当初の構造に基づいてウォークスルーを行う場合を説明したが、上記構造選択欄Ｃ１で所望の改築候補、例えば、図５に示したものを選択することにより、所望の改築プランに基づいてウォークスルーを行うこともできる。そして、その場合、図５のような改築プランを顧客Ｋが表示室１を訪問する前に予め作成しておくことにより、ウォークスルー中に改築用の平面図の作成等を行うことなく、改築プランに基づいたウォークスルーを直ちに開始できる利点がある。
【００３２】
次に、建築予定の住宅内でのウォークスルー中に、当該顧客Ｋの建築予定の住宅の平面図を標準的な改築プランに基づいて瞬時に変更したり、この改築プランに基づいてウォークスルーを行う手順を説明する。上記改築支援プログラムＰ３には、標準的な改築パターンが予め準備されており、ウォークスルー等中にこの標準的な改築プランの提示を行いたい場合、図４等の平面図に復帰してインスタント改築欄Ｃ２における標準改築プランを選択する。
【００３３】
この標準改築パターンは一又は複数のものを準備してインスタント改築欄Ｃ２に一覧表示しておくことができるが、ここでは寝たきり患者が発生した場合における介護用の「介護・寝たきり」用改築プランにつき説明する。この改築プランでは、画像表示領域Ａ１上で住宅のいずれかの部屋、例えば、「和室」をクリックして「介護室」として設定すると、図９に示すように、当該部屋が「介護室」に改装されかつこの「介護室」と「便所」及び「浴室」とを結ぶ電動トランスファ（図示せず）用の天井レールＲが設けられた状態の図面が自動的に作成されるようになっている。
【００３４】
ここで、上記電動トランスファとは、寝たきり患者を不図示のトランスファに載せて「介護室」と「便所」及び「浴室」との間で上記天井レールＲに沿って電動モータで駆動しながら移動させる装置であるが、係る電動トランスファ用の天井レールＲの経路が演算処理装置１６で自動的に決定されるため、操作者Ｓが自ら天井レールＲの経路を入力する必要がなく、操作の簡素化を図ることができる。
【００３５】
なお、上記天井レールＲを設けるためには、天井部の強度を通常より高くする必要があるが、住宅の建築後に係る天井部の補強を行うことは、煩雑かつコスト高となる。そのため、将来、電動トランスファを設置する可能性を考慮して、住宅の建築時から、電動トランスファの天井レールを設置する可能性のある部位近傍の天井部を補強しておくことが好ましく、係る点を顧客Ｋにアドバイスすることが好適である。
【００３６】
次に、演算処理装置１６で天井レールＲの経路を自動的に決定する手順を説明する。「介護室」と「便所」及び「浴室」を連絡する天井レールＲの経路は、
（１）壁によって遮られずに通過可能な経路であること
（２）縦又は横方向（図９の上下又は左右方向）に延びる経路であること
を基本条件とする。更に、上記天井レールＲの経路は、
（３）できる限り廊下及びホール以外の部屋を通過しないこと
（４）できる限り短い経路であること
を補助条件とする。
【００３７】
以上の条件に従って、演算処理装置１６で天井レールＲの経路を決定する手順を図１０に示す。ステップＬ１では、まず、上記基本条件に従って、「介護室」と「便所」及び「浴室」を連絡可能な全ての経路が求められる。図１１に示すように、これらの経路は、
▲１▼「介護室」→「寝室」→「廊下」→「便所」及び「浴室」の経路
▲２▼「介護室」→「ホール」→「廊下」→「便所」及び「浴室」の経路
▲３▼「介護室」→「ホール」→「居間」→「廊下」→「便所」及び「浴室」の経路
の３通りである。
【００３８】
続いて、ステップＬ２で廊下及びホールのみを通過する経路があるか否かが判定される。すなわち、廊下及びホール以外の他の部屋を通過することになると、電動トランスファの通過によって他の家族等が影響を受けるおそれがあり、電動トランスファはできる限り廊下及びホールのみを通過して移動することが好ましいからである。
【００３９】
本例では、上記経路▲２▼が廊下及びホールのみを通過する経路に該当するため、ステップＬ２の判定結果は「イエス」となってステップＬ３に進み、ここで、廊下及びホールのみを通過する経路中で距離が最短のものが選択される。この場合、廊下及びホールのみを通過する経路は上記経路▲２▼のみであるから、当該経路▲２▼が選択されて、図９のように画像表示領域Ａ１に経路▲２▼が点線等で表示される。
【００４０】
一方、本例と異なり、ステップＬ２で「介護室」と「便所」及び「浴室」との間に廊下及びホールのみを通過する経路が存在しない場合、ステップＬ６に進み、次善策として「介護室」と「便所」及び「浴室」との間の可能な経路中の最短距離のものが選択されて当該経路が画像表示領域Ａ１に表示されることになる。このように、予め準備した標準的な改築プランについては、操作者Ｓが一々図形の入力等を行わなくても平面図の変更を瞬時に行え、その後、この改築後の平面図等に基づいてウォークスルーを実施することが可能である。
【００４１】
【発明の効果】
本発明の請求項１の建築物の改築プランの表示方法は、前記形状データ記憶部に備えられた当初構造記憶手段が、前記建築物の建築当初の構造に関する形状データを記憶するステップと、前記形状データ記憶部に備えられた改築後構造記憶手段が、前記建築物の改築後の構造に関する形状データを記憶するステップと、前記ＣＧ画像データ生成部が、記憶された建築当初の構造に関する形状データに対して設定した視点を静止又は移動させることにより建築当初の建築物に関するＣＧ画像データを生成するステップと、前記表示部が、生成されたＣＧ画像データに基づいて、建築当初の建築物をＣＧ画像により表示するステップと、前記ＣＧ画像データ生成部が、記憶された改築後の構造に関する形状データに対して設定した視点を静止又は移動させることにより改築後の建築物に関するＣＧ画像データを生成するステップと、前記表示部が、生成されたＣＧ画像データに基づいて、改築後の建築物をＣＧ画像により表示するステップとを有するものであるから、建築物の建築後に改築プランを提示したり、建築当初から改築の可能性を考慮して建築プランを提示する場合等に、当初の構造（間取り等）及び改築後の構造が適切であるか否かをＣＧ画像により、現実にそのような建築物内を歩き回っているのと類似した状況で詳細に検討し、当初の建築プラン又は改築プラン等が適切であるか否か等を的確に判断できる利点がある。また、前記表示部が、記憶された改築後の構造に関する形状データに基づいて、改築後の建築物を示す平面図を表示するステップと、設定部が、表示された平面図中のいずれかの部屋を介護室として設定するステップと、決定部が、設定された介護室と表示された平面図中の便所及び浴室とを結ぶ電動トランスファ用の天井レールの経路を決定する際に、（１）壁によって遮られずに通過可能な経路であること、（２）表示された平面図の縦方向又は横方向に延びる経路であること、を基本条件とし、（３）できる限り廊下及びホール以外の部屋を通過しないこと、（４）できる限り短い経路であること、を補助条件とし、前記決定部が、前記基本条件（１）と前記基本条件（２）のいずれも満たす全ての経路を求め、求められた経路の中に前記補助条件（３）を満たす経路がある場合に、求められた経路の中から前記補助条件（３）と前記補助条件（４）のいずれも満たす経路を選択する一方、求められた経路の中に前記補助表示（３）を満たす経路がない場合に、求められた経路の中から前記補助条件（４）を満たす経路を選択し、選択された経路を前記天井レールの経路として決定するステップと、前記表示部が、決定された経路を表示するステップとを有するものであるから、操作者が自ら天井レールの経路を入力する必要がなく、そのため操作の簡素化を図ることができる。
【００４２】
請求項２の記録媒体は、請求項１の表示方法をコンピュータに実行させるためのプログラムを記録したコンピュータ読み取り可能な記録媒体であるから、係る記録媒体から上記プログラムをコンピュータにインストールすることにより、上記した有用な表示方法を実行することができる。
【００４３】
請求項３のＣＧ画像による建築物の改築プランの表示装置は、前記形状データ記憶部に備えられた当初構造記憶手段が、前記建築物の建築当初の構造に関する形状データを記憶し、前記形状データ記憶部に備えられた改築後構造記憶手段が、前記建築物の改築後の構造に関する形状データを記憶し、前記ＣＧ画像データ生成部が、記憶された建築当初の構造に関する形状データに対して設定した視点を静止又は移動させることにより建築当初の建築物に関するＣＧ画像データを生成し、前記表示部が、生成されたＣＧ画像データに基づいて、建築当初の建築物をＣＧ画像により表示し、前記ＣＧ画像データ生成部が、記憶された改築後の構造に関する形状データに対して設定した視点を静止又は移動させることにより改築後の建築物に関するＣＧ画像データを生成し、前記表示部が、生成されたＣＧ画像データに基づいて、改築後の建築物をＣＧ画像により表示するので、改築プランを決定したり、建築当初から改築の可能性を考慮して建築物の構造（間取り等）を決定する場合に、当初の構造及び改築後の構造が適切であるか否かをＣＧ画像により、現実にそのような建築物内を歩き回っているのと類似した状況で詳細に検討し、当初の建築プラン又は改築プランが適切であるか等を的確に判断できる利点がある。また、前記表示部が、記憶された改築後の構造に関する形状データに基づいて、改築後の建築物を示す平面図を表示すると共に、表示された平面図中のいずれかの部屋を介護室として設定する設定部と、設定された介護室と表示された平面図中の便所及び浴室とを結ぶ電動トランスファ用の天井レールの経路を決定する際に、（１）壁によって遮られずに通過可能な経路であること、（２）表示された平面図の縦方向又は横方向に延びる経路であること、を基本条件とし、（３）できる限り廊下及びホール以外の部屋を通過しないこと、（４）できる限り短い経路であること、を補助条件とし、前記基本条件（１）と前記基本条件（２）のいずれも満たす全ての経路を求め、求められた経路の中に前記補助条件（３）を満たす経路がある場合に、求められた経路の中から前記補助条件（３）と前記補助条件（４）のいずれも満たす経路を選択する一方、求められた経路の中に前記補助表示（３）を満たす経路がない場合に、求められた経路の中から前記補助条件（４）を満たす経路を選択し、選択された経路を前記天井レールの経路として決定する決定部と、を備え、更に、前記表示部が、決定された経路を表示するので、操作者が自ら天井レールの経路を入力する必要がなく、そのため操作の簡素化を図ることができる。
【図面の簡単な説明】
【図１】本発明の実施の形態で使用する表示室を示す概略斜視図。
【図２】上記表示室を示す概略平面図。
【図３】上記表示室内の演算処理装置の概略の内部構成を示す説明図。
【図４】上記演算処理装置で建築当初の住宅の平面図を作成する様子を示す説明図。
【図５】上記演算処理装置で改築後の住宅の平面図を作成する様子を示す説明図。
【図６】上記演算処理装置でＣＧ画像を生成する原理を示す説明図。
【図７】上記住宅の内部でＣＧ画像によるウォークスルーを行う様子を示す説明図。
【図８】上記ウォークスルーで視点を前進させた状態を示す説明図。
【図９】上記ウォークスルー中に寝たきり患者が発生した場合の改築プランをその場で作成する様子を示す説明図。
【図１０】上記改築プランの作成に際して天井レールの経路を自動的に決定する手順を示すフローチャート。
【図１１】上記経路の決定に際してあらゆる可能な経路を求めた状態を示す説明図。
【符号の説明】
１６  演算処理装置（コンピュータ）
１６ａ  当初構造記憶手段
１６ｂ  改築後構造記憶手段
Ｑ  ＣＧ画像
【図１】
0003866469.tif 000002
【図２】
0003866469.tif 000003
【図３】
0003866469.tif 000004
【図４】
0003866469.tif 000005
【図５】
0003866469.tif 000006
【図６】
0003866469.tif 000007
【図７】
0003866469.tif 000008
【図８】
0003866469.tif 000009
【図９】
0003866469.tif 000010
【図１０】
0003866469.tif 000011
【図１１】
0003866469.tif 000012